(57)【特許請求の範囲】
【請求項１】
前面板（３２）と後面板（３３）と連結板（３４）より成るリーダ本体（３５）と、前記前面板（３２）の端部と後面板（３３）の端部にそれぞれ固着した保護部材（３６）で、左右側方に開口した略コ字形状のガイド部（３１）を有するリーダであって、
前記保護部材（３６）は、前面板（３２）、後面板（３３）の板厚よりも幅広く、左右側面の少なくとも前後方向両端部が前後方向に向かう円弧状に湾曲していることを特徴とするリーダ。
【請求項２】
保護部材（３６）を、パイプ部材とした請求項１記載のリーダ。
【発明の詳細な説明】
【０００１】
【発明の属する技術分野】
本発明は、主として、杭を回転しながら地中に圧入する杭打ち機、オーガを回転することで穴を掘削する穴掘削機などの作業機に用いるリーダに関する。
【０００２】
【従来の技術】
杭打ち機、穴掘削機などの作業機のリーダ１は、図５に示すように機体２の前部に起立姿勢で取付けられ、回転駆動機３を昇降自在にガイドするガイド部４を有する。
前記回転駆動機３の回転部３ａに杭を連結することで杭打ち機とする。
前記回転駆動機３の回転部３ａにオーガを連結することで穴掘削機とする。
【０００３】
前記リーダ１の具体形状の一例を図６に示す。
前面板５と後面板６を連結板７で一体的に連結した断面Ｈ字形状のリーダ本体８と、前面板５、後面板６の両端寄り内面に固着した断面コ字形状のガイド体９を備え、ガイド体９と連結板７との間にガイド凹部１０を有し、前記ガイド部４は左右一側方に開口した略コ字形状である。
図６に示したリーダ１は、左右両側に回転駆動機を昇降自在に設けるものであるが、左右一側にのみ回転駆動機を設けるリーダは、断面コ字形状のリーダ本体を有し、左右一側方に開口した略コ字形状のガイド部４を１つ有する形状である。
【０００４】
前述の回転駆動機３は、回転部３ａを回転させるアクチュエータ、昇降動作するアクチュエータなどを備えている。
このアクチュエータの動力（流体圧、電力）は機体２から供給している。
【０００５】
例えば、機体２と回転駆動機３とに亘ってケーブルベア（登録商標）１１を連結し、このケーブルベア（登録商標）１１を通してホース、電力ケーブルなどを機体２から回転駆動機３まで連続している。
前記ケーブルベア（登録商標）１１は、チェーンのように多数のリンクがピンで連結され、長手方向には湾曲変形するが、短手方向には湾曲変形しないもので、機体２と回転駆動機３とに亘って起立姿勢を維持しながら前後方向に向けて略下向きＵ字形状に連結される。
よって、ケーブルベア（登録商標）１１は回転駆動機３の昇降によって図５に仮想線で示すように起立姿勢を維持しながら一部分が湾曲変形して上下方向に移動する。
これによって、ホース、電力ケーブルのたれ下がり等を防止できる。
【０００６】
【発明が解決しようとする課題】
前述のケーブルベア（登録商標）１１は、後側部分（機体２側の部分）１１ａと前側部分（機体２と反対側の部分）１１ｂが上下に向う直線状で、その後側部分１１ａと前側部分１１ｂを連続する中間部分１１ｃが前後方向に向い、かつ上向き円弧状に湾曲している。
そして、前記後側部分１１ａがリーダ１の後面１ａと離れ、前記前側部分１１ｂはリーダ１の前面１ｂと略面一である。
このために、回転駆動機３が昇降する時にケーブルベア（登録商標）１１の中間部分１１ｃはリーダ１に対し、上下方向に移動しながら前後方向（矢印ａ方向）に移動する。
【０００７】
一方、前記ケーブルベア（登録商標）１１は起立姿勢を維持するが、そのリンク連結部のガタなどの要因でケーブルベア（登録商標）１１は左右方向に若干振れ動くことがある。
また、ケーブルベア（登録商標）１１がリーダ１の左右側方に離れると種々の不具合が発生する恐れがあるので、前述のケーブルベア（登録商標）１１はリーダ１の左右側面１ｃに接するようにしている。
【０００８】
前記リーダ１の左右側面１ｃは、図６に示すように前面板５の端面と後面板６の端面で、ケーブルベア（登録商標）１１との接触面積が狭い。しかも前記端面の前後方向両端部は略直角のエッジ部１２である。
このために、前述したようにケーブルベア（登録商標）１１の中間部分１１ｃがリーダ１に対して上下方向に移動しながら前後方向に移動する時に、前記エッジ部１２に引掛かり、破損する恐れがある。
【０００９】
本発明は前述の課題に鑑みなされたものである。
本発明の目的は、ケーブルベア（登録商標）がリーダに対して上下方向に移動しながら前後方向に移動する時に、ケーブルベア（登録商標）が引掛かることがないリーダとすることである。
【００１０】
【課題を解決するための手段及び作用・効果】
第１の発明は、前面板３２と後面板３３と連結板３４より成るリーダ本体３５と、前記前面板３２の端部と後面板３３の端部にそれぞれ固着した保護部材３６で、左右側方に開口した略コ字形状のガイド部３１を有するリーダであって、
前記保護部材３６は、前面板３２、後面板３３の板厚よりも幅広く、左右側面の少なくとも前後方向両端部が、前後方向に向う円弧状に湾曲していることを特徴とするリーダである。
【００１１】
第１の発明によれば、機体２１に取付けると共に、回転駆動機３０を設け、この回転駆動機３０と機体２１とに亘ってケーブルベア（登録商標）４０を連結して杭打ち機や穴掘削機とした場合に、回転駆動機３０の昇降によってケーブルベア（登録商標）４０がリーダ２０の保護部材３６に沿って上下方向に移動しながら前後方向に移動する時に、そのケーブルベア（登録商標）４０は、前面板３２、後面板３３の板厚よりも幅広い保護部材３６の前後方向両端部の円弧状に湾曲した面に沿って移動するから、ケーブルベア（登録商標）４０が引掛かることがない。
したがって、ケーブルベア（登録商標）４０がリーダ２０に対して上下方向に移動しながら前後方向に移動する時に、ケーブルベア（登録商標）４０が引掛かることがないリーダである。
【００１２】
第２の発明は、第１の発明において保護部材３６をパイプ部材としたリーダである。
【００１３】
第２の発明によれば、パイプ部材である保護部材３６によって、リーダ２０のねじれ剛性を高めることができる。
【００１４】
【発明の実施の形態】
図１と図２に示すように、リーダ２０は機体２１の前部に起立姿勢で取付けてある。
この実施の形態では、機体２１は走行体２２を備えた下部機体２３と、その下部機体２３に旋回自在に取付けた上部機体２４と、この上部機体２４に設けたリーダ取付部材２５を備えている。
前記リーダ取付部材２５は上部機体２４に左右揺動及び前後傾動自在に取付けてあり、図示しない揺動用シリンダで左右に揺動し、傾動用シリンダ２６で前後に傾動する。したがって、リーダ２０を倒伏姿勢として機体２１に支持できる。
前記リーダ取付部材２５に沿って、リーダ２０が長手方向に摺動自在に取付けてあり、図示しない摺動用シリンダでリーダ２０が長手方向に摺動する。
【００１５】
前記リーダ２０は、回転駆動機３０を昇降自在にガイドするガイド部３１を有する。
この実施の形態では、図３に示すようにリーダ２０の左右両側部にガイド部３１をそれぞれ有し、図２に示すように各ガイド部３１に回転駆動機３０がそれぞれ昇降自在に取付けてある。
具体的には、図３に示すようにリーダ２０は左右方向に向う前面板３２と左右方向に向う後面板３３と前後方向に向う連結板３４で横断面Ｈ字形状のリーダ本体３５と、前記前面板３２、後面板３３の左右端面にそれぞれ固着した保護部材３６を備えている。各保護部材３６と連結板３４との間にガイド凹部３７をそれぞれ有し、前記ガイド部３１は左右側方に開口した略コ字形状である。
前記各回転駆動機３０は、前記ガイド凹部３７に沿って転動するガイドローラ３８を有する。
前記保護部材３６は略矩形中空形状（つまり、矩形のパイプ部材）で、その左右側面３６ａがリーダ２０の左右側面である。前記保護部材３６の前後面３６ｂ間の寸法（つまり、幅）は前記前面板３２、後面板３３の板厚よりも大きい。保護部材３６の左右側面３６ａと前後面３６ｂとの角部（つまり前後角部）３６ｃは円弧形状に湾曲している。
【００１６】
図２に示すように、左右一方の回転駆動機３０の回転部３０ａに図示しない杭が連結される。その回転部３０ａを回転しながら回転駆動機３０を下降することで杭を回転しながら地中に圧入する。
前記左右他方の回転駆動機３０の回転部３０ａにはオーガ３９が連結してある。その回転部３０ａを回転しながら回転駆動機３０を下降することでオーガ３９が回転しながら下降し地盤に穴を掘削する。
これによって、オーガ付き杭打ち機を構成している。
【００１７】
前記機体２１と回転駆動機３０とに亘ってケーブルベア（登録商標）４０が連結してある。このケーブルベア（登録商標）４０内に図示しないケーブル、ホースなどを通して機体２１から回転駆動機３０のアクチュエータに動力を供給する。
この実施の形態では、前記リーダ取付部材２５の上端部の左右に取付用部材４１がそれぞれ固着してある。
この各取付用部材４１と各回転駆動機３０とに亘ってケーブルベア（登録商標）４０がそれぞれ連結してある。
左右一方のケーブルベア（登録商標）４０は図３に示すようにリーダ２０の左右一側面２０ａに接するようにしてある。
左右他方のケーブルベア（登録商標）４０は図３に示すようにリーダ２０の左右他側面２０ｂに接するようにしてある。
【００１８】
前記各ケーブルベア（登録商標）４０は図１と図３に示すように、取付用部材４１に連結された一端部分４０ａが、リーダ２０の後面２０ｃ（機体２１側の面）と離隔して略直線状に起立し、この一端部分４０ａと連続した中間部分４０ｂが前後方向に向けて略下向き円弧状に湾曲し、この中間部分４０ｂと連続した他端部分４０ｃが回転駆動機３０に連結し、かつリーダ２０の前面２０ｄと略面一で略直線状に起立している。
よって、ケーブルベア（登録商標）４０は、前後方向に向う略上向きＵ字形状で起立している。
【００１９】
前述のようであるから、回転駆動機３０が昇降することでケーブルベア（登録商標）４０の中間部分４０ｂがリーダ２０に対して上下方向に移動しながら前後方向（矢印ｂ方向）に移動する。
この時、ケーブルベア（登録商標）４０はリーダ２０の左右一側面２０ａ、他側面２０ｂ（保護部材３６の左右側面３６ａ）に沿って上下方向に移動しながら前後方向に移動するが、その左右一側面２０ａ、他側面２０ｂは幅広く、ケーブルベア（登録商標）４０との接触面積が広く、しかも、その前後方向両端部（保護部材３６の前後角部３６ｃ）は円弧状に湾曲しているから、ケーブルベア（登録商標）４０が引掛かることがない。
【００２０】
また、リーダ本体３５と保護部材３６でリーダ２０を形成し、その保護部材３６でケーブルベア（登録商標）４０の引掛かりを防止すると共に、ガイド凹部３７を形成したので、リーダ２０の部品点数が従来と同一である。
つまり、保護部材３６が従来のガイド体を兼用することで、部品点数は従来のリーダと同一である。
しかも、パイプ部材より成る保護部材３６でリーダ２０のねじり剛性を亜高めることができる。
【００２１】
次にリーダ２０の他の実施の形態を説明する。
図４（ａ）に示すように、前面板３２と後面板３３の端部に半円中空形状（つまり、半円形のパイプ部材）の保護部材３６を固着する。
この半円中空形状の保護部材３６の半円形の左右側面３６ｄをリーダ２０の左右一側面２０ａ、他側面２０ｂとする。
【００２２】
図４（ｂ）に示すように、前面板３２、後面板３３の端部に、前後方向に向う略Ｃ字形のプレート形状の保護部材３６を固着する。
この保護部材３６のＣ字形状の表面３６ｅをリーダ２０の左右一側面２０ａ、他側面２０ｂとする。
【００２３】
図４（ｃ）に示すように、前面板３２、後面板３３の端部に、断面円形中空形状（つまり、円形のパイプ部材）の保護部材３６を固着する。
この保護部材３６の円形外面３６ｆをリーダ２０の左右一側面２０ａ、他側面２０ｂとする。
【００２４】
前述の図４（ｂ），（ｃ）に示すリーダの場合には、ガイド凹部３７を形成するためにガイド体４２を固着する。
【００２５】
前述のように、保護部材３６は、前面板３２、後面板３３の板厚よりも幅広く、左右側面の前後方向両端部又は左右側面の全面が前後方向に向う円弧状に湾曲しているもの、つまり、左右側面の少なくとも前後方向両端部が前後方向に向かう円弧状に湾曲しているもものであれば良い。
【００２６】
前述の実施の形態は、リーダ２０の左右両側部にガイド部３１を有する形状を示したが、リーダ２０は１つのガイド部３１を有するものでも良いことは勿論である。この場合にはリーダ本体３５は断面コ字形状である。
【図面の簡単な説明】
【図１】  本発明の実施の形態を示すオーガ付き杭打ち機の側面図である。
【図２】  本発明の実施の形態を示すオーガ付き杭打ち機の正面図である。
【図３】  リーダ部分の拡大平面図である。
【図４】  リーダの他の実施の形態を示す平面図である。
【図５】  従来の杭打ち機の側面図である。
【図６】  図５のリーダ部分の拡大平面図である。
【符号の説明】
１…リーダ、２…機体、３…回転駆動機、４…ガイド部、１１…ケーブルベア（登録商標）、１２…エッジ部、２０…リーダ、２０ａ…左右一側面、２０ｂ…左右他側面、２０ｃ…後面、２０ｄ…前面、２１…機体、３０…回転駆動機、３１…ガイド部、３２…前面板、３３…後面板、３４…連結板、３５…リーダ本体、３６…保護部材、３６ａ…左右側面、３６ｃ…前後角部、３７…ガイド凹部、４０…ケーブルベア（登録商標）。
【図１】
0004471189.tif 000002
【図２】
0004471189.tif 000003
【図３】
0004471189.tif 000004
【図４】
0004471189.tif 000005
【図５】
0004471189.tif 000006
【図６】
0004471189.tif 000007